(57)【特許請求の範囲】
【請求項１】
組織化した界面活性剤を含有する、液相中に分散した固形の実質的に不溶性の粒状材料の懸濁液形態の非水性の液体重質洗剤組成物であって、
(A)(i)Ｃ10〜Ｃ16アルキルベンゼンスルホン酸のアルカリ金属塩から選択される溶解したアニオン性界面活性剤を前記非水性液相の３０重量％〜６５重量％、および
(ii)(a)式Ｒ1（ＯＣmＨ2m）nＯＨ（式中、Ｒ1はＣ8〜Ｃ16アルキル基であり、ｍは２〜４であり、ｎは２〜１２である）のアルコールアルコキシレートと、
(b)モノ、ジ、トリ、テトラＣ2〜Ｃ3アルキレングリコールモノＣ2〜Ｃ6アルキルエーテルから選択される非水性の有機溶媒、
とを、アルコールアルコキシレート対有機溶媒の重量比が５０：１〜１：５０で含んでなる非水性液体希釈剤を前記非水性液相の３５重量％〜７０重量％
含んでなる非水性液相をこの組成物の３５重量％〜９９重量％、および
(B)粒度が、０．１〜１５００μｍであり、前記の非水性液相に実質的に不溶性であり、過酸素漂白剤、漂白活性剤、および前記粒状材料の種類のものの組合せから選択される粒状材料を組成物の１重量％〜６５重量％
含んでなることを特徴とする、非水性の液体重質洗剤組成物。
【請求項２】
(A)前記アルキルベンゼンスルホン酸のアルキル基が、線状であり、１１〜１４個の炭素原子を有し、
(B)前記アルコールアルコキシレート成分が、アルキル基中に８〜１５個の炭素原子を有しかつ１分子当たり３〜１０個のエチレンオキシド部分を有するエトキシル化材料を含み、
(C)前記粒状材料が、過カルボン酸およびその塩、およびアルカリ金属過ホウ酸塩および過炭酸塩から選択される過酸素漂白剤を含んでなる
請求項１に記載の組成物。
【請求項３】
(A)前記アルキルベンゼンスルホン酸アニオン性界面活性剤が、前記組成物の１５重量％〜６０重量％であり、
(B)前記非水性の液体希釈剤が、前記組成物の１５重量％〜７０重量％であり、アルコールエトキシレート対有機溶媒の比が３：１〜１：３であり、
(C)前記粒状材料が、前記組成物の５重量％〜５０重量％である、
請求項２に記載の組成物。
【請求項４】
(A)前記過酸素漂白剤が、アルカリ金属過ホウ酸塩および過炭酸塩から選択され、前記組成物の１重量％〜３０重量％であり、
(B)前記粒状材料が、更に前記過酸素漂白剤と反応してペルオキシ酸を形成することができる漂白活性剤の粒子を前記組成物の０．５重量％〜２０重量％含む
請求項３に記載の組成物。
【請求項５】
更に、エチレンオキシド−プロピレンオキシドブロックポリマーを含んでなる、追加のノニオン性界面活性剤を前記組成物の１重量％〜２０重量％含む、請求項４に記載の組成物。
【請求項６】
更に、前記の粒状材料は、アルカリ金属クエン酸塩、コハク酸塩、マロン酸塩、カルボキシメチルコハク酸塩、カルボン酸塩、ポリカルボン酸塩、ポリアセチルカルボン酸塩、および脂肪酸石鹸から選択される有機洗剤ビルダーを組成物の２重量％〜２０重量％含む、請求項４に記載の組成物。
【請求項７】
前記有機洗剤ビルダーが、クエン酸ナトリウムである、請求項６に記載の組成物。
【請求項８】
前記粒状材料が、更に水溶性アルカリ金属炭酸塩、重炭酸塩、ホウ酸塩、ケイ酸塩、およびメタケイ酸塩から選択されるアルカリ性供給源を前記組成物の１重量％〜２５重量％含む、請求項４に記載の組成物。
【請求項９】
前記アルカリ性供給源が、炭酸ナトリウムである、請求項８に記載の組成物。
【請求項１０】
更に、アミノカルボン酸塩、ホスホン酸塩、アミノホスホン酸塩、多官能価置換芳香族キレート化剤、およびこれらのキレート化剤の組み合わせから選択されるキレート化剤を前記組成物の０．１重量％〜４重量％含む、請求項４に記載の組成物。
【請求項１１】
前記キレート化剤が、ジエチレントリアミン五酢酸、エチレンジアミン二コハク酸、ジピコリン酸、およびヒドロキシエチル二ホスホン酸、およびこれらのキレート化剤の塩から選択される、請求項１０に記載の組成物。
【請求項１２】
更に、酵素小球であって、該小球の粒度が１００〜１，０００μｍであり、前記酵素がプロテアーゼ、アミラーゼ、セルラーゼ、およびリパーゼから選択されるものを前記組成物の０．００１重量％〜５重量％含む、請求項４に記載の組成物。
【請求項１３】
(A)分子量が２，０００〜１０，０００の範囲のアクリル酸を基材とするポリマーから選択される増粘、粘度調節および／または分散剤を前記組成物の０．１重量％〜４重量％、および／または
(B)相容性の増白剤、起泡抑制剤、シリコーン油、漂白剤触媒、染料、および／または香料を０．０００１重量％〜２重量％
をも含む、請求項４に記載の組成物。
【発明の詳細な説明】
技術分野
本発明は、非水性であり、かつ漂白剤および／または他の洗剤組成物補助剤のような顆粒材料の安定な分散液の形態である液体洗濯洗剤生成物に関する。
背景技術
液体洗剤生成物は、粉末状または顆粒状洗剤生成物よりも使用に便利であると考えられることが多い。従って、液体洗剤は消費者にかなり好まれている。このような液体洗剤生成物は、計量が容易で、洗浄水に速やかに溶解し、洗濯を行う衣類の汚れた部分に濃縮溶液または分散液で容易に適用することができ、埃が発たない。また、それらの生成物は、通常は顆粒状生成物よりも保管場所を取らない。更に、液体洗剤は、その処方物に、乾燥操作（この操作は粒状または顆粒状洗剤生成物の製造に用いられることが多いものである）による劣化に耐えることができない材料を配合することができる。
液体洗剤は、顆粒状洗剤生成物と比較して多くの利点を有するが、これらは幾つかの欠点も本来的に持ち合わせている。特に、顆粒状生成物で互いに相容性の洗剤組成物成分は、液体、特に水性液体環境では互いに相互作用または反応しやすくなることがある。従って、酵素、界面活性剤、香料、増白剤、溶媒、および特に漂白剤および漂白活性化剤は、許容可能な程度の化学的安定性を有する液体洗剤生成物に配合することが非常に困難なことがある。
液体洗剤生成物での洗剤組成物成分の化学的相容性を高める一つの方法は、非水性（または無水）の液体洗剤組成物を処方することであった。このような非水性生成物では、通常は固体の洗剤組成物成分の少なくとも幾つかは、液体生成物中で不溶性のままになりやすく、従ってそれらを液体マトリックスに溶解する場合ほど互いに反応性が高くはない。過酸素漂白剤のような反応性材料を含む非水性液体洗剤組成物のようなものは、例えば１９８６年１０月１７日発行のHepworth et al.の米国特許第４，６１５，８２０号明細書、１９９０年５月２９日発行のSchultz et al.の米国特許第４，９２９，３８０号明細書、１９９１年４月１６日発行のSchultz et al.の米国特許第５，００８，０３１号明細書、１９８１年６月１０日公開のElder et al.のＥＰ−Ａ−０３０，０９６号明細書、１９９２年６月１１日公開のHall et al.のＷＯ９２／０９６７８号明細書、および１９９３年１０月１３日公表のＥＰ−Ａ−５６５，０１７号明細書に開示されている。
成分同士の化学的相容性が非水性の液体洗剤組成物中で高めることができても、このような組成物の物理的安定性が問題になることがある。これは、分散していた不溶性の固形粒状材料が懸濁液で沈降して、液体洗剤生成物が入っている容器の底に沈澱するので、これらの生成物が相分離を起こしやすいためである。この種の問題の結果、非水性の液体洗剤生成物に最適の種類および量の界面活性剤材料を十分に配合することに関する問題もあることがある。界面活性剤材料は、これら組成物に許容可能な布帛（布地）クリーニング性能を付与するのに適するように選択しなければならないのは勿論であるが、このような材料を用いることによって許容できないほどの組成物の相分離を生じるものであってはならない。増粘剤または粘度調節剤のような相安定剤をこのような生成物に加えて、その物理的安定性を高めることができる。しかしながら、このような材料は、生成物にコストと嵩を加えることになることがあり、これらの洗剤組成物の洗濯／クリーニング性能に寄与することはないのである。
このような液体洗濯洗剤生成物の界面活性剤系であって、生成物の液相にある構造を実際に付与することによって、このような組織化した液相内での分散した粒状成分の懸濁を促進することもできるものを選択することもできる。組織化した界面活性剤系を有するこのような生成物の一例は、１９９５年２月１４日発行のvan der Hoeven et al.の米国特許第５，３８９，２８４号明細書に見出だされ、この生成物は比較的高濃度のアルコールアルコキシレートのノニオン性界面活性剤とアニオン性解膠剤とを基材とする組織化した界面活性剤系を用いている。組織化した界面活性剤系を用いる生成物では、懸濁した粒状材料の沈降や相分離を防止するのに十分な粘性を持っていなければならないが、洗剤生成物の注入適性および分取適性が悪影響を受けるほど粘性が高いものであってはならない。
前記のことから、商業的に許容可能な相安定性、注入適性および洗剤組成物洗濯、クリーニングまたは漂白性能と共に高度の化学的、例えば漂白剤および酵素安定性を有する非水性の液体生成物の形態の液体の粒子含有洗剤組成物を同定し、提供することが引き続き必要とされていることは明らかである。従って、本発明の目的は、このような特に好ましい化学的および物理的安定性、並びに顕著な注入適性および布帛洗濯／漂白性能を有する非水性の粒子含有液体洗剤生成物を提供することである。
発明の開示
本発明は、組織化した界面活性剤を含む液相中に分散した、固形の実質的に不溶性の粒状材料の安定した懸濁液を含んでなる非水性の液体洗剤組成物を提供する。このような組成物は、(A)非水性液相を組成物の約３５重量％〜９９重量％、と、(B)１種類以上の粒状材料を組成物約１重量％〜６５重量％含んでいる。
非水性液相自体は、ある種の溶解したアニオン性界面活性剤を液相の約３０重量％〜６５重量％含んでいる。このアニオン性界面活性剤成分は、Ｃ10〜Ｃ16アルキルベンゼンスルホン酸のアルカリ金属塩から選択される材料を含んでいる。
このアニオン性界面活性剤成分の他に、本発明の組成物の非水性液相は、非水性液体希釈剤も液相の約３５重量％〜７０重量％含んでいる。このような希釈剤は、(i)式Ｒ１（ＯＣｍＨ2m）ｎＯＨ（前記式中、Ｒ１はＣ８〜Ｃ16アルキル基であり、ｍは２〜４であり、ｎは約２〜１２である）のアルコールアルコキシレートと(ii)非水性の低極性有機溶媒とを共に含んでいる。これらの成分は、非水性液体希釈剤中にアルコールアルコキシレート対有機溶媒の重量比が約５０：１〜１：５０で含まれる。
本発明の組成物の非水性液相に懸濁されている粒状材料は、粒度が約０．１〜１５００μｍであり、本発明の非水性組成物に実質的に不溶性である。この不溶性粒状材料は、過酸素漂白剤を含むのが好ましいが、漂白活性剤、補助的アニオン性界面活性剤、有機洗剤ビルダー、無機アルカリ性供給源、およびこれらの粒状材料の種類のものの組合せを含むこともできる。
発明を実施するための最良の形態
本発明の非水性液体洗剤組成物は、固相としてある種の粒状材料を分散させた界面活性剤と低極性溶媒とを含む液相を含んでいる。本発明の洗剤組成物の液相および固相の必須および任意成分、並びに組成形態、製造および使用を、下記のように更に詳細に説明する。（総ての濃度および比率は、特に断らない限り重量に基づくものである。）
液相
液相は、通常は本発明の洗剤組成物の約３５重量％〜９９重量％となる。更に好ましくは、液相は、組成物の約５０重量％〜９５重量％となる。最も好ましくは、液相は、本発明の組成物の約４５重量％〜７５重量％となる。本発明の洗剤組成物の液相は、本質的には、ある種の非水性の液体希釈剤と組合せたある種のアニオン性界面活性剤を比較的高濃度で含む。
(A)  必須のアニオン性界面活性剤
非水性液相の必須成分として本質的に用いられるアニオン性界面活性剤は、アルキルベンゼンスルホン酸のアルカリ金属塩であって、アルキル基が直鎖または分岐鎖状で約１０〜１６個の炭素原子を有するものから選択されるものである。（米国特許第２，２２０，０９９号および第２，４７７，３８３号明細書を参照されたい。参考文献として引用する。）特に好ましいものは、線状直鎖アルキルベンゼンスルホン酸（ＬＡＳ）ナトリウムおよびカリウムであって、アルキル基の炭素原子の平均数が約１１〜１４であるものである。Ｃ11〜Ｃ14ＬＡＳナトリウムが、特に好ましい。
アルキルベンゼンスルホン酸塩のアニオン性界面活性剤は、非水性相の第二の必須成分を構成する非水性液体希釈剤に溶解される。好適な相安定性および許容可能なレオロジーに必要な組織化した液相を形成するには、アルキルベンゼンスルホン酸塩のアニオン性界面活性剤は、一般的には液相の約３０重量％〜６５重量％の範囲で含まれる。アルキルベンゼンスルホン酸塩アニオン性界面活性剤は、本発明の非水性液相の約３５重量％〜５０重量％とするのが更に好ましい。このアニオン性界面活性剤をこれらの濃度で用いることは、総組成物中のアニオン性界面活性剤濃度が組成物の約１５重量％〜６０重量％、更に好ましくは約２０重量％〜４０重量％であることに相当する。
(B)  非水性液体希釈剤
洗剤組成物の液相を形成するには、前記のアルキルベンゼンスルホン酸塩アニオン性界面活性剤を、２種類の必須成分を含む非水性液体希釈剤と組み合わせる。これらの２成分は、液状のアルコールアルコキシレート材料および非水性の低極性有機溶媒である。
(i)  アルコールアルコキシレート
本発明の組成物を形成するのに用いられる液体希釈剤の１つ必須成分は、アルコキシル化脂肪アルコール材料を含んでいる。このような材料は、それ自身がノニオン性界面活性剤でもある。このような材料は、一般式
Ｒ１（ＣｍＨ2mＯ）ｎＯＨ
（前記式中、Ｒ１はＣ８〜Ｃ16アルキル基であり、ｍは２〜４であり、ｎは約２〜１２である）に相当するものである。Ｒ１はアルキル基であるのが好ましく、これは第一または第二アルキル基でもよく、約９〜１５個の炭素原子を有し、更に好ましくは約１０〜１４個の炭素原子を有する。好ましくは、アルコキシル化脂肪アルコールは、１分子当たり約２〜１２個のエチレンオキシド部分を有するエトキシル化材料でもあり、更に好ましくは分子当たり約３〜１０個のエチレンオキシド部分を有する。
液体希釈剤のアルコキシル化脂肪アルコール成分は、約３〜１７の範囲の親水性−親油性バランス（ＨＬＢ）を有することが多い。更に好ましくは、この材料のＨＬＢは約６〜１５の範囲であり、最も好ましくは約８〜１５の範囲である。
本発明の組成物における非水性液体希釈剤の必須成分の一つとして用いられる脂肪アルコールアルコキシレートの例としては、１２〜１５個の炭素原子のアルコールから製造されかつエチレンオキシド約７モルを有するものが挙げられる。このような材料は、Neodol 25-7およびNeodol 23-6.5の商品名でShell Chemical Companyから市販されている。他の有用なNeodolとしては、そのアルキル鎖に平均１１個の炭素原子を有し、エチレンオキシド約５モルを有するエトキシル化脂肪アルコールであるNeodol 1-5、エチレンオキシド約９モルを有するエトキシル化第一Ｃ12〜Ｃ13アルコールであるNeodol 23-9、およびエチレンオキシド約１０モルを有するエトキシル化Ｃ９〜Ｃ11第一アルコールであるNeodol 91-10が挙げられる。この種のアルコールエトキシレートも、Dobanolの商品名でShell Chemical Companyから発売されている。Dobanol 91-5は平均５モルのエチレンオキシドを有するエトキシル化Ｃ９〜Ｃ11脂肪アルコールであり、Dobanol 25-7は脂肪アルコール１モル当たりエチレンオキシドを平均７モル有するエトキシル化Ｃ12〜Ｃ15脂肪アルコールである。
好適なエトキシル化アルコールの他の例としては、Tergitol 15-S-7およびTergitol 15-S-9であって、いずれもUnion Carbide Corporationから発売されている線状の第二アルコールエトキシレートである。前者はＣ11〜Ｃ15の線状の第二アルカノールのエチレンオキシド７モルによる混合エトキシル化生成物であり、後者はエチレンオキシド９モルを反応させたことを除き同様な生成物である。
本発明で用いられる他の種類のアルコールエトキシレートはNeodol 45-11のような高分子量ノニオン性界面活性剤であり、高級脂肪アルコールの同様なエチレンオキシド縮合生成物であって、高級脂肪アルコールは１４〜１５個の炭素原子のものであり、モル当たりのエチレンオキシド基の数は約１１である。このような生成物も、Shell Chemical Companyから市販されている。
本発明の非水性組成物における液体希釈剤の一部として本質的に用いられるアルコールアルコキシレート成分は、一般的には液相組成の約１％〜６０％の範囲まで含まれる。アルコールアルコキシレート成分は、液相の約５％〜４０％であるのが更に好ましい。本質的に用いられるアルコールアルコキシレート成分は、洗剤組成物の液相の約５％〜３０％であるのが最も好ましい。液相中でこれらの濃度でのアルコールアルコキシレートの使用は、総組成物におけるアルコールアルコキシレート濃度が組成物の約１重量％〜６０重量％、更に好ましくは約２重量％〜４０重量％、最も好ましくは約５重量％〜２５重量％に相当する。
(ii)  非水性の低極性有機溶媒
本発明の洗剤組成物の液相の一部を形成する液体希釈剤の第二の必須成分は、（複数の）非水性の低極性有機溶媒である。「溶媒」という用語は、本発明では組成物の液相の非界面活性キャリヤーまたは希釈剤成分を意味するのに用いられる。本発明の組成物の必須および／または任意成分の幾つかは「溶媒」含有液相に実際に溶解することがあるが、他の成分は「溶媒」含有液相に分散した粒状材料として存在する。従って、「溶媒」という用語は、この溶媒材料がそれに加えられる洗剤組成物成分の総てを実際に溶解することができることを意味するものではない。
本発明で溶媒として用いられる非水性有機材料は、低極性の液体であるものである。本発明の目的に対しては、「低極性」液体は、本発明の組成物で用いられる好ましい種類の粒状材料の一つ、すなわち過酸素漂白剤である過ホウ酸ナトリウムまたは過炭酸ナトリウムを溶解する傾向があったとしてもごく僅かに過ぎないものである。従って、エタノールのような比較的極性の高い溶媒は、用いるべきではない。本発明の非水性液体洗剤組成物に用いられる好適な種類の低極性溶媒としては、ノン−ビシナルＣ４〜Ｃ８アルキレングリコール、アルキレングリコールモノ低級アルキルエーテル、低分子量ポリエチレングリコール、低級分子量メチルエステルおよびアミドなどが挙げられる。
本発明の組成物に用いられる好ましい種類の非水性の低極性溶媒は、ノン−ビシナルＣ４〜Ｃ８分岐または直鎖アルキレングリコールを含んでなる。この種の材料としては、ヘキシレングリコール（４−メチル−２，４−ペンタンジオール）、１，６−ヘキサンジオール、１，３−ブチレングリコール、および１，４−ブチレングリコールが挙げられる。ヘキシレングリコールが最も好ましい。
本発明で用いられるもう一つの好ましい種類の非水性の低極性溶媒は、モノ−、ジ−、トリ−またはテトラ−Ｃ２〜Ｃ３アルキレングリコールモノＣ２〜Ｃ６アルキルエーテルを含んでなる。このような化合物の具体例としては、ジエチレングリコールモノブチルエーテル、テトラエチレングリコールモノブチルエーテル、ジプロピレングリコールモノエチルエーテル、およびジプロピレングリコールモノブチルエーテルが挙げられる。ジエチレングリコールモノブチルエーテルおよびジプロピレングリコールモノブチルエーテルが、特に好ましい。この種の化合物は、Dowanol、CarobitolおよびCellosolveの商品名で市販されている。
本発明で用いられるもう一つの好ましい種類の非水性の低極性有機溶媒は、低分子量ポリエチレングリコール（ＰＥＧ）を含んでなる。このような材料は、分子量が少なくとも約１５０のものである。分子量が約２００〜６００のＰＥＧが、最も好ましい。
更にもう一つの好ましい種類の非極性の非水性溶媒は、低分子量メチルエステルを含んでなる。このような材料は、一般式Ｒ１−Ｃ（Ｏ）−ＯＣＨ３（式中、Ｒ１は１〜約１８である）を有するものである。好適な低分子量メチルエステルの例としては、酢酸メチル、プロピオン酸メチル、オクタン酸メチル、およびドデカン酸メチルが挙げられる。
用いられる非水性の低極性有機溶媒は、本発明の液体洗剤組成物に用いられる他の組成物成分、例えば漂白剤および／または活性剤と相容性でありかつ非反応性であるべきであるのは勿論である。このような溶媒成分は、通常は液相の約１重量％〜７０重量％の量で用いられる。更に好ましくは、非水性の低極性有機溶媒は、液相約１０重量％〜６０重量％であり、最も好ましくは組成物の液相の約２０重量％〜５０重量％である。この有機溶媒を液相中でこれらの濃度で用いることは、総組成物中の溶媒濃度が組成物の約１重量％〜５０重量％、更に好ましくは約５重量％〜４０重量％、最も好ましくは約１０重量％〜３０重量％であることに相当する。
(iii)  アルコールアルコキシレート対溶媒比
液体希釈剤でのアルコールアルコキシレート対有機溶媒の比率は、最終的に形成される洗剤組成物のレオロジー特性を変化させる目的で用いることができる。一般に、アルコールアルコキシレート対有機溶媒の重量比は約５０：１〜１：５０の範囲である。この比は、約３：１〜１：３の範囲であるのが更に好ましい。
(iv)  液体希釈剤濃度
アルキルベンゼンスルホン酸塩アニオン性界面活性剤混合物の濃度と同様に、本発明の非水性液相の総液体希釈剤の量は、他の組成物成分の種類および量、および望まれる組成物の特性によって決定される。液体希釈剤は、通常は本発明の組成物の非水性液相の約３５％〜７０％となる。更に好ましくは、液体希釈剤は、非水性液相の約５０％〜６５％である。これは総組成物における非水性液体希釈剤濃度が組成物の約１５重量％〜７０重量％、更に好ましくは約２０重量％〜５０重量％に相当する。
固相
本発明の非水性洗剤組成物は、液相に分散および懸濁させる粒状材料の固相約１重量％〜６５重量％、更に好ましくは約５重量％〜５０重量％も本質的に含んでいる。一般に、このような粒状材料は、約０．１〜１５００ミクロンの範囲である。更に好ましくは、このような材料は、約５〜２００ミクロンの範囲となる。
本発明で用いられる粒状材料は、粒状の形態では組成物の非水性液相に実質的に不溶性である１種類以上の洗剤組成物成分を含んでなることもできる。用いることができるこの種の粒状材料を、下記のように詳細に説明する。
(A)  任意の漂白活性剤を含む過酸素漂白剤
本発明の洗剤組成物の固相を形成するのに用いられる最も好ましい種類の粒状材料は、過酸素漂白剤を含んでなる。このような過酸素漂白剤は、有機または無機性のものであることができる。無機過酸素漂白剤は、漂白活性剤と組み合わせて用いられることが多い。
有用な有機過酸素漂白剤としては、過カルボン酸漂白剤およびその塩が挙げられる。この種の漂白剤の好適な例としては、モノペルオキシフタル酸マグネシウム六水和物、メタクロロ過安息香酸のマグネシウム塩、４−ノニルアミノ−４−オキソペルオキシ酪酸、およびジペルオキシドデカン二酸が挙げられる。このような漂白剤は、１９８４年１１月２０日発行のHartmanの米国特許第４，４８３，７８１号明細書、１９８５年２月２０日公開のBanks et al.の欧州特許出願第ＥＰ−Ａ−１３３，３５４号明細書、および１９８３年１１月１日発行のChung et al.の米国特許第４，４１２，９３４号明細書に開示されている。極めて好ましい漂白剤としては、１９８７年１月６日にBurns et al.に発行された米国特許第４，６３４，５５１号明細書にに記載の６−ノニルアミノ−６−オキソペルオキシカプロン酸（ＮＡＰＡＡ）も挙げられる。
無機過酸素漂白剤は、本発明の洗剤組成物に粒状形態で用いることもできる。無機漂白剤は、実際に好ましい。このような無機過酸素化合物としては、アルカリ金属過ホウ酸塩および過炭酸材料が挙げられ、最も好ましくは過炭酸塩である。例えば、過ホウ酸ナトリウム（例えば、一または四水和物）を用いることができる。好適な無機漂白剤としては、炭酸ナトリウムまたはカリウムペルオキシハイドレートおよび同等な「過炭酸塩」漂白剤、ピロリン酸ナトリウムペルオキシハイドレート、尿素ペルオキシハイドレート、および過酸化ナトリウムを挙げることもできる。過硫酸塩漂白剤（例えば、OXONE、DuPont製）を用いることもできる。無機過酸素漂白剤を、ケイ酸塩、ホウ酸塩、硫酸塩、または水溶性界面活性剤でコーティングすることも多い。例えば、コーティングを施した過炭酸塩粒子は、FMC、Solvay Interox、Tokai DenkaおよびDegussaのような様々な供給業者から発売されている。
無機過酸素漂白剤、例えば過ホウ酸塩、過炭酸塩などは、漂白活性剤と組み合わせて、水溶液中で（すなわち、布帛の洗濯／漂白のための本発明の組成物の使用中に）、漂白活性剤に対応するペルオキシ酸をその場で生成する。各種の活性剤の非制限的例は、１９９０年４月１０日にMao et al.に発行された米国特許第４，９１５，８５４号明細書、および１９８３年１１月１日にChung et al.に発行された米国特許第４，４１２，９３４号明細書に開示されている。ノナノイルオキソベンゼンスルホン酸塩（ＮＯＢＳ）およびテトラアセチルエチレンジアミン（ＴＡＥＤ）活性剤が代表的なものである。それらの混合物を用いることもできる。本発明で用いられる他の典型的な漂白剤および活性剤については、前記引用の米国特許第４，６３４，５５１号明細書も参照されたい。
他の有用なアミドから誘導される漂白活性剤は、式
Ｒ１Ｎ（Ｒ５）Ｃ（Ｏ）Ｒ２Ｃ（Ｏ）Ｌ、または
Ｒ１Ｃ（Ｏ）Ｎ（Ｒ５）Ｒ２Ｃ（Ｏ）Ｌ
（前記式中、Ｒ１は約６〜約１２個の炭素原子を有するアルキル基であり、Ｒ２は１〜約６個の炭素原子を有するアルキレンであり、Ｒ５はＨ、または約１〜約１０個の炭素原子を有するアルキル、アリール、またはアルカリールであり、Ｌは任意の好適な脱離基である）を有するものである。脱離基は、過加水分解アニオンによる漂白活性剤の親核攻撃の結果漂白活性剤から置換される任意の基である。好ましい脱離基はフェノールスルホン酸塩である。
前記式の漂白活性剤の好ましい例としては、前記米国特許第４，６３４，５５１号明細書に記載の（６−オクタンアミド−カプロイル）オキシベンゼンスルホン酸塩、（６−ノナンアミドカプロイル）オキシスルホン酸塩、（６−デカンアミド−カプロイル）オキシベンゼンスルホン酸塩、およびそれらの混合物が挙げられる。このような混合物は、ここでは（６−Ｃ８〜Ｃ10アルカミド−カプロイル）オキシベンゼンスルホン酸塩として特性決定される。
もう一つの種類の有用な漂白活性剤は、１９９０年１０月３０日発行のHodge et al.の米国特許第４，９６６，７２３号明細書に開示のベンズオキサジン型活性剤であり、前記特許明細書の内容は、参考文献として引用される。ベンズオキサジン型の極めて好ましい活性剤は、下記のものである。
0004024297.tif 000002
更にもう一つの種類の有用な漂白活性剤としては、アシルラクタム活性剤、特に、式
0004024297.tif 000003
（前記式中、Ｒ６はＨ、または１〜約１２個の炭素原子を有するアルキル、アリール、アルコキシアリール、またはアルカリール基である）のアシルカプロラクタム、およびアシルバレロラクタムが挙げられる。極めて好ましいラクタム活性剤としては、ベンゾイルカプロラクタム、オクタノイルカプロラクタム、３，５，５−トリメチルヘキサノイルカプロラクタム、ノナノイルカプロラクタム、デカノイルカプロラクタム、ウンデセノイルカプロラクタム、ベンゾイルバレロラクタム、オクタノイルバレロラクタム、デカノイルバレロラクタム、ウンデセノイルバレロラクタム、３，５，５−トリメチルヘキサノイルバレロラクタム、およびそれらの混合物が挙げられる。１９８５年１０月８日にSandersonに発行された米国特許第４，５４５，７８４号明細書も参照されたい。この特許明細書は、参考文献として引用され、過ホウ酸ナトリウムに吸着させたベンゾイルカプロラクタムなどのアシルカプロラクタムが開示されている。
過酸素漂白剤を、本質的に存在する粒状材料の総てまたは一部として用いる場合には、それらは一般に組成物の約１重量％〜３０重量％となる。更に好ましくは、過酸素漂白剤は、組成物の約１重量％〜２０重量％となる。最も好ましくは、過酸素漂白剤は、組成物の約３重量％〜１５重量％の範囲で含まれる。漂白活性剤を用いるときには、これは、組成物の約０．５重量％〜２０重量％、更に好ましくは約１重量％〜１０重量％となることができる。活性剤を用いて、漂白剤対活性剤のモル比が約１：１〜１０：１、更に好ましくは約１．５：１〜５：１となるようにすることが多い。
また、漂白活性剤をクエン酸のような特定の酸で凝集させると、一層化学的に安定となることも見出された。
(B)  補助的アニオン性界面活性剤
本発明の非水性の液体洗剤組成物に懸濁することができるもう一つの可能な種類の粒状材料としては、非水性液相に全くまたは部分的に不溶性の補助アニオン性界面活性剤が挙げられる。このような溶解度特性を有する最も普通に見られる種類のアニオン性界面活性剤は、第一または第二アルキル硫酸塩アニオン性界面活性剤である。このような界面活性剤は、高級Ｃ８〜Ｃ20脂肪アルコールの硫酸化によって製造されるものである。
従来の第一アルキル硫酸塩界面活性剤は、一般式
ＲＯＳＯ３−Ｍ＋
（前記式中、Ｒは典型的には線状Ｃ８〜Ｃ20ヒドロカルビル基であり、直鎖または分岐鎖であることができ、Ｍは水可溶化性カチオンである）
を有する。ＲはＣ10〜Ｃ14アルキルであり、Ｍはアルカリ金属であるのが好ましい。Ｒが約Ｃ12であり、Ｍがナトリウムであるのが最も好ましい。
従来の第二アルキル硫酸塩を、本発明の組成物の固相の本質的なアニオン性界面活性剤成分として用いることもできる。従来の第二アルキル硫酸塩界面活性剤は、分子のヒドロカルビル「主鎖」に沿ってランダムに分布した硫酸塩部分を有する材料である。このような材料は、構造
ＣＨ３（ＣＨ２）ｎ（ＣＨＯＳＯ３−Ｍ＋）（ＣＨ２）ｍＣＨ３
（前記式中、ｍおよびｎは２以上の整数であり、ｍ＋ｎの和は典型的には約９〜１５であり、Ｍは水可溶化性カチオンである）によって表すことができる。
アルキル硫酸塩のような補助アニオン性界面活性剤を、必要な粒状材料の全部または一部として用いるときには、これは通常は組成物約１重量％〜１０重量％であり、更に好ましくは組成物の約１重量％〜５重量％となる。本発明の液相の一部として本質的に用いられるアルキルエーテル硫酸塩界面活性剤成分の一部を形成することができる未アルコキシル化アルキル硫酸塩材料とは別個に、粒状材料の全部または一部として用いられるアルキル硫酸塩を製造して、本発明の組成物に添加する。
(C)  有機ビルダー材料
本発明の非水性の液体洗剤組成物に懸濁することができるもう一つの可能な型の粒状材料は、本発明の組成物を洗濯／漂白に使用中に見られるカルシウム、または他のイオン、水硬度の効果を中和する働きをする有機洗剤ビルダー材料を含んでなる。このような材料の例としては、アルカリ金属、クエン酸塩、琥珀酸塩、マロン酸塩、脂肪酸、カルボキシメチルコハク酸塩、カルボン酸塩、ポリカルボン酸塩およびポリアセチルカルボン酸塩が挙げられる。具体例としては、オキシジコハク酸、メリット酸、ベンゼンポリカルボン酸、およびクエン酸のナトリウム、カリウムおよびリチウム塩が挙げられる。他の例にはMonsantoからDequestという商品名で発売されているもののような有機ホスホン酸塩型の金属イオン封鎖剤。クエン酸塩が極めて好ましい。
他の好適な有機ビルダーとしては、ビルダー特性を有することが知られている高分子量ポリマーおよびコポリマーが挙げられる。例えば、このような材料としては、BASFからSokalanという商品名で発売されているもののような適当なポリアクリル酸、ポリマレイン酸、およびポリアクリル酸／ポリマレイン酸コポリマー、およびそれらの塩が挙げられる。
もう一つの好適な種類の有機ビルダーとしては、高級脂肪酸の水溶性塩、すなわち「石鹸」がある。これらには、約８〜約２４個好ましくは約１２〜１８個の炭素原子を有する高級脂肪酸のナトリウム、カリウム、アンモニウムおよびアルカノールアンモニウム塩のような金属石鹸が挙げられる。石鹸は、脂肪の直接ケン化によって、または遊離脂肪酸の中和によって製造することができる。特に有用なものは、ヤシ油および獣脂から誘導される脂肪酸の混合物のナトリウムおよびカリウム塩、すなわちナトリウムまたはカリウム獣脂およびヤシ油石鹸である。
不溶性有機洗剤ビルダーを所望な粒状材料の全部または一部として用いる場合には、これらは一般に本発明の組成物の約２重量％〜２０重量％とすることができる。このようなビルダー材料は、組成物の約４重量％〜１０重量％とすることができる。
(D)  無機アルカリ性供給源
本発明の非水性の液体洗剤組成物に懸濁することができるもう一つの種類の粒状材料は、一般にアルカリ性の組成物を形成する水性洗浄溶液を与える働きをする材料を含んでなることができる。このような材料は、洗剤ビルダーとして、すなわち洗浄力性能に対する水硬度の悪影響を中和する材料として作用することができるが、または作用しなくてもよい。
好適なアルカリ性供給源の例としては、水溶性アルカリ金属炭酸塩、重炭酸塩、ホウ酸塩、ケイ酸塩およびメタケイ酸塩が挙げられる。環境上の理由から好ましくはないが、水溶性リン酸塩をアルカリ性供給源として用いることもできる。これらには、アルカリ金属ピロリン酸塩、オルトリン酸塩、ポリリン酸塩およびホスホン酸塩が挙げられる。これらのアルカリ性供給源の総ての内で、アルカリ金属炭酸塩、例えば炭酸ナトリウムが最も好ましい。
例えば、水和性塩の形態でのアルカリ性供給源は、本発明の非水性液体洗剤組成物において乾燥剤として働くこともできる。乾燥剤でもあるアルカリ性供給源を含むと、水によって不活性化されやすい過酸素漂白剤のような組成物成分の化学的安定化に関して有利であることがある。
アルカリ性供給源を粒状材料成分の全部または一部として用いるときには、これは通常は本発明の組成物の約１重量％〜２５重量％となる。アルカリ性供給源は、組成物の約２重量％〜１５重量％となることができるのが更に好ましい。このような材料は水溶性ではあるが、本発明の非水性洗剤組成物には通常は不溶性である。従って、このような材料は、一般的には不連続粒子の形態で非水性液相に分散される。
任意組成物成分
前記の必須の組成物液相および固相成分の他に、本発明の洗剤組成物は、各種の任意成分を含むことができ、かつ好ましい。このような任意成分は、液体または固体の形態のいずれであることもできる。任意成分は液相に溶解してもよく、または微粒子または液滴の形態の液相に分散させてもよい。場合によっては本発明の組成物に用いることができる材料の幾つかを、下記のように更に詳細に説明する。
(a)  任意界面活性剤
液体希釈剤の本質的に用いられるアルキルベンゼンスルホン酸塩界面活性剤材料およびアルコールアルコキシレートの他に、本発明の洗剤組成物は、前記の任意アルキル硫酸塩の他に、他の種類の界面活性剤材料も含んでもよい。このような追加の任意界面活性剤は、他の組成物成分と相容性でなければならず、かつ組成物レオロジー、安定性または性能に実質的に悪影響を与えてはならないのは当然である。任意界面活性剤は、アニオン性、ノニオン性、カチオン性、および／または両性の型であることができる。任意界面活性剤を用いるときには、これらは通常は本発明の組成物の約１重量％〜２０重量％となり、本発明の組成物の約５重量％〜１０重量％であるのが更に好ましい。
場合によっては本発明の洗剤組成物に添加することができるアニオン性界面活性剤材料の一つの普通に見られる種類のものは、アルキルポリアルコキシレート硫酸塩を含んでなる。アルキルポリアルコキシレート硫酸塩は、アルコキシル化したアルキル硫酸塩またはアルキルエーテル硫酸塩としても知られる。このような材料は、式
Ｒ２−Ｏ−（ＣｍＨ2mＯ）ｎ−ＳＯ３Ｍ
（前記式中、Ｒ２はＣ10〜Ｃ22アルキル基であり、ｍは２〜４であり、ｎは約１〜１５であり、Ｍは塩形成カチオンである）に相当するものである。好ましくはＲ２はＣ12〜Ｃ18アルキルであり、ｍは２であり、ｎは約１〜１０であり、Ｍはナトリウム、カリウム、アンモニウム、アルキルアンモニウムまたはアルカノールアンモニウムである。最も好ましくはＲ２はＣ12〜Ｃ16であり、ｍは２であり、ｎは約１〜６であり、Ｍはナトリウムである。本発明の組成物に用いられる固相材料として過酸素漂白剤を含むときには、アンモニウム、アルキルアンモニウム、およびアルカノールアンモニウム対イオンを用いないのが好ましい。
本発明の洗剤組成物に場合によっては加えることができるもう一つの普通に用いられる種類のアニオン性界面活性剤材料は、カルボン酸塩型材料がある。カルボン酸塩型アニオン性界面活性剤としては、Ｃ10〜Ｃ18アルキルアルコキシカルボン酸塩（特に、ＥＯが１〜５のエトキシカルボン酸塩）、およびＣ10〜Ｃ18サルコシネート、特にオレオイルサルコシネートが挙げられる。場合によっては用いることができるもう一つの普通に見られる種類のアニオン性界面活性剤材料は、Ｃ８〜Ｃ18パラフィンスルホン酸塩およびＣ８〜Ｃ18オレフィンスルホン酸塩のような他のスルホン化アニオン性界面活性剤がある。
好ましい種類の任意のノニオン性界面活性剤としては、エチレンオキシド（ＥＯ）−プロピレンオキシド（ＰＯ）ブロックポリマーがある。この種の材料は、Pluronicの商品名で発売されている公知のノニオン性界面活性剤である。これらの材料は、エチレンオキシド部分のブロックをポリプロピレングリコール鎖の末端に付加して、生成するブロックポリマーの界面活性特性を調節することによって形成される。この種のＥＯ−ＰＯブロックポリマーノニオン性界面活性剤は、Davidsohn and Milwidsky、合成洗剤(Synthetic Detergents)、第７版、Longman Scientific and Technical（１９８７年）、３４〜３６頁および１８９〜１９１頁、および米国特許第２，６７４，６１９号および第２，６７７，７００号明細書に更に詳細に記載されている。これらの出版物の総ての内容は、その開示の一部として本明細書に引用される。これらのPluronic型のノニオン性界面活性剤は、本発明の洗剤組成物の液相に分散されている粒状材料の有効な懸濁剤として機能すると思われる。
本発明の組成物で用いられる任意ノニオン性界面活性剤のもう一つの好ましい種類は、ポリヒドロキシ脂肪酸アミド界面活性剤である。この種のノニオン性界面活性剤の材料は、式
0004024297.tif 000004
（前記式中、ＲはＣ９〜17アルキルまたはアルケニルであり、ｐは１〜６であり、Ｚは還元糖またはそのアルコキシル化誘導体から誘導されるグリシチルである）に一致するものである。このような材料としては、Ｃ12〜Ｃ18Ｎ−メチルグルタミドが挙げられる。例は、Ｎ−メチルＮ−１−デオキシグルシチルココアミドおよびＮ−メチルＮ−１−デオキシグルシチルオレアミドである。ポリヒドロキシ脂肪酸アミドの製造法は知られており、例えばWilsonの米国特許第２，９６５，５７６号明細書、およびSchwartzの米国特許第２，７０３，７９８号明細書に見出すことができ、前記特許明細書の内容は、参考文献として引用される。材料自身およびそれらの製造は、１９９２年１２月２６日発行のHonsaの米国特許第５，１７４，９３７号明細書にも更に詳細に記載されており、前記特許明細書の内容は、参考文献として引用される。
(b)  任意の無機洗剤ビルダー
本発明の洗剤組成物は、場合によってはアルカリ性供給源としても機能する前記のものの外に１種類以上の無機洗剤ビルダーを含むこともできる。このような任意の無機ビルダーとしては、例えばゼオライトのようなアルミノケイ酸塩を挙げることができる。アルミノケイ酸塩ゼオライトおよびその洗剤ビルダーとしての使用は、１９８６年８月１２日発行のCorkill et al.の米国特許第４，６０５，５０９号明細書に更に詳細に記載されており、前記特許明細書の内容は、その開示の一部として本明細書に引用される。また、この第′５０９号米国特許明細書に記載されているような結晶性の層状ケイ酸塩は、本発明の洗剤組成物に用いるのにも好適である。任意の無機洗剤ビルダーは、用いる場合には、本発明の組成物の約２重量％〜１５重量％となることができる。
(C)  任意の酵素
本発明の洗剤組成物は、場合によっては１種類以上の洗剤酵素を含むこともできる。このような酵素としては、プロテアーゼ、アミラーゼ、セルラーゼおよびリパーゼを挙げることができる。これらの材料は当該技術分野で知られており、市販されている。それらは、本発明の非水性の液体洗剤組成物に、懸濁液、「マルメ(marumes)」または「小球」の形態で配合することができる。もう一つの好適な形態の酵素は、ノニオン性界面活性剤中で酵素をスラリーとした形態のもの、例えばNovo Nordiskにより商品名「SL」で発売されている酵素、または商品名「LDP」でNovo Nordiskから発売されているマイクロカプセル化した酵素がある。
従来の酵素小球の形態で本発明の組成物に加えられる酵素は、本発明で用いるのに特に好ましい。このような小球は、一般的には約１００〜１，０００ミクロンの範囲にあり、更に好ましくは約２００〜８００ミクロンの範囲であり、組成物の非水性液相中に懸濁される。本発明の組成物における小球は、他の酵素形態と比較して、経時的に酵素活性を保持することに関して特に望ましい酵素安定性を示すことが見出された。従って、酵素小球を用いる組成物は、酵素を水性液体洗剤に配合するときには頻繁に使用しなければならない従来の酵素安定剤を含む必要はない。
酵素を用いる場合には、通常は本発明の非水性液体組成物に、組成物１ｇ当たり活性酵素を重量で約１０ｍｇまで、更に典型的には約０．０１ｍｇ〜約５ｍｇを提供するのに十分な濃度で配合される。或いは、本発明の非水性液体洗剤組成物は、典型的には市販の酵素製剤約０．００１重量％〜５重量％、好ましくは約０．０１重量％〜１重量％を含む。例えば、プロテアーゼ酵素は、通常は組成物１ｇ当たり０．００５〜０．１アンソン単位（ＡＵ）を提供するのに十分な濃度でこのような市販製剤に含まれる。
(d)  任意のキレート化剤
本発明の洗剤組成物は、場合によっては本発明の非水性洗剤組成物中で金属イオン、例えば鉄および／またはマンガンをキレート化する働きをするキレート化剤を含むこともできる。従って、これらのキレート化剤は、キレート化剤を含まない場合には過酸素漂白剤のような組成物成分を失活させる傾向がある組成物中の金属不純物と錯体を形成する働きをする。有用なキレート化剤としては、アミノカルボン酸塩、ホスホン酸塩、アミノホスホン酸塩、多官能価置換芳香族キレート化剤、およびそれらの混合物が挙げられる。
任意のキレート化剤として用いられるアミノカルボン酸塩としては、エチレンジアミン四酢酸塩、Ｎ−ヒドロキシエチル−エチレンジアミン三酢酸塩、ニトリロ三酢酸塩、エチレンジアミン四プロピオン酸塩、トリエチレンテトラアミン六酢酸塩、ジエチレントリアミン五酢酸塩、エチレンジアミン二コハク酸塩、およびエタノールジグリシンが挙げられる。これらの材料のアルカリ金属塩が好ましい。
リンの総量を少なくとも低濃度で洗剤組成物に加えることができるときには、本発明の組成物にアミノホスホン酸塩をキレート化剤として用いることも好適であり、DEQUESTのようなエチレンジアミンテトラキス（メチレンホスホン酸塩）が挙げられる。これらのアミノホスホン酸塩は、約６個を上回る炭素原子を有するアルキルまたはアルケニル基を含まないのが好ましい。
好ましいキレート化剤としては、ヒドロキシ−エチル二ホスホン酸（ＨＥＤＰ）、ジエチレントリアミン五酢酸（ＤＴＰＡ）、エチレンジアミン二コハク酸（ＥＤＤＳ）、およびジピコリン酸（ＤＰＡ）、およびそれらの塩が挙げられる。キレート化剤は、布帛の洗濯／漂白の目的で本発明の組成物を使用する際に洗剤ビルダーとして作用することもできることは勿論である。キレート化剤を用いるときには、本発明の組成物の約０．１重量％〜４重量％とすることができる。キレート化剤は、本発明の洗剤組成物の約０．２重量％〜２重量％とするのが更に好ましい。
(e)  任意の増粘、粘度調節および／または分散剤
本発明の洗剤組成物は、場合によってはその固体粒状成分を懸濁させておく組成物の能力を増強する働きをするポリマー性材料を含むこともできる。従って、このような材料は、増粘剤、粘度調節剤、および／または分散剤として作用することができる。これらの材料はポリマー性ポリカルボン酸塩であることが多いが、ポリビニルピロリドン（ＰＶＰ）のような他のポリマー性材料を挙げることもできる。
ポリマー性のポリカルボン酸塩材料は、好適な不飽和モノマーを好ましくはその酸形態で重合または共重合することによって製造することができる。重合して好適なポリマー性ポリカルボン酸塩を形成することができる不飽和モノマー性酸としては、アクリル酸、マレイン酸（または無水マレイン酸）、フマル酸、イタコン酸、アコニット酸、メサコン酸、シトラコン酸、およびメチレンマロン酸が挙げられる。本発明のポリカルボン酸塩においてビニルメチルエーテル、スチレン、エチレンなどのカルボン酸基を含まないモノマー性セグメントが含まれていることは、これらのセグメントがポリマーの約４０重量％を上回る量を構成しないという条件で好ましい。
特に好適なポリマー性のポリカルボン酸塩は、アクリル酸から誘導することができる。本発明で有用なこのような酸を基材とするポリマーは、重合アクリル酸の水溶性塩である。酸の形態でのこれらのポリマーの平均分子量は、好ましくは約２，０００〜１０，０００の範囲であり、更に好ましくは約４，０００〜７，０００であり、最も好ましくは約４，０００〜５，０００である。このようなアクリル酸ポリマーの水溶性塩としては、例えばアルカリ金属塩を挙げることができる。この種の可溶性ポリマーは、既知の材料である。この種のポリアクリル酸塩の洗剤組成物での使用は、例えば１９６７年３月７日発行のDiehlの米国特許第３，３０８，０６７号明細書に開示されている。このような材料は、ビルダーの機能を果たすこともできる。
任意の増粘剤、粘度調節および／または分散剤を用いるときには、これらは本発明の組成物に約０．１重量％〜４重量％の範囲で含まれるべきである。更に好ましくは、これらの材料は、本発明の洗剤組成物の約０．５重量％〜２重量％であることができる。
(f)  任意の液体漂白活性剤
本発明の洗剤組成物は、場合によっては、室温では液状でありかつ本発明の洗剤組成物の非水性液相に液体として加えることができる漂白活性剤を含むこともできる。一つのこのような液体漂白活性剤は、アセチルトリエチルシトレート（ＡＴＣ）である。他の例としては、グリセロールトリアセテートおよびノナノイルバレロラクタムが挙げられる。液体漂白活性剤は、本発明の組成物の非水性液相に溶解することができる。
(g)  任意の増白剤、起泡抑制剤、染料および／または香料
本発明の洗剤組成物は、場合によっては、通常の増白剤、起泡抑制剤、シリコーン油、漂白触媒、染料および／または香料材料を含むこともできる。このような増白剤、起泡抑制剤、シリコーン油、漂白触媒、染料および香料は、非水性環境で他の組成物成分と相容性でありかつ非反応性でなければならないことは勿論である。増白剤、起泡抑制剤、染料および／または香料が含まれているときには、これらは典型的には本発明の組成物の約０．０００１重量％〜２重量％となる。好適な漂白触媒としては、米国特許第５，２４６，６２１号明細書、米国特許第５，２４４，５９４号明細書、米国特許第５，１１４，６０６号明細書、および米国特許第５，１１４，６１１号明細書に開示されているマンガンを基材とする錯体が挙げられる。
組成物の形態
前記のように、本発明の非水性の液体洗剤組成物は、漂白剤および／または他の材料の形態では、非水性液相に懸濁されかつその全体に分散された固相として粒状形態である。一般には、非水性液相は、組成物の約３５重量％〜９９重量％であり、更に好ましくは約５０重量％〜９５重量％であり、分散した固相は組成物の約１重量％〜６５重量％であり、更に好ましくは約５重量％〜５０重量％である。
本発明の粒子を含む液体洗剤組成物は、実質的に非水性（または無水）の特徴を有する。極めて少量の水を必須または任意成分中の不純物としてこれらの組成物に配合することができるが、水の量は本発明の組成物の約５重量％を決して超過すべきではない。更に好ましくは、本発明の非水性洗剤組成物の水含量は、約１重量％未満となる。
本発明の粒子を含む非水性液体洗剤組成物は、これらの組成物の市販および使用条件下では比較的粘稠でありかつ相安定性を有する。本発明の組成物の粘度は、約３００〜５，０００ｃｐｓの範囲であるのが多く、更に好ましくは約５００〜３，０００ｃｐｓである。本発明の目的には、粘度は、ＲＶ＃５スピンドルを用いて５０ｒｐｍでBrookfield粘度計で測定する。
組成物の製造および使用
本発明の非水性の液体洗剤組成物は、その必須および任意成分を任意の好都合な順序で組み合わせ、生成する成分の組み合わせを混合、例えば攪拌して、本発明の相安定性を有する組成物を形成することによって製造することができる。このような組成物を製造するための典型的な方法では、必須およびある種の好ましい任意成分を特定の順序で、一定条件下で組み合わせる。
このような典型的な製造法の第一段階では、アルキルベンゼンスルホン酸塩アニオン性界面活性剤と、非水性希釈剤の２つの必須成分との混合物を、これらの材料の組み合わせを約３０℃〜１００℃の温度に加熱することによって形成する。
第二の工程段階では、前記のように形成した加熱混合物を、約４０℃〜１００℃の温度で約２分〜２０時間剪断攪拌下に保持する。場合によっては、この時点で混合物に真空を適用することができる。この第二の工程段階は、アニオン性界面活性剤を非水性液相に完全に溶解する働きをする。
第三の工程段階では、この液相の材料の組み合わせを約０℃〜３５℃の温度まで冷却する。この冷却段階は、組織化した界面活性剤を含有する液体基材であって、これに本発明の洗剤組成物の粒状材料を加えて分散することができるものを形成する働きをする。
粒状材料は、第四の工程段階で、粒状材料を剪断攪拌条件下に保持した液体基材と組み合わせることによって加える。２種類以上の粒状材料を加えるときには、一定の添加順序が見られることが好ましい。例えば、剪断攪拌を保持しながら、固形粒状形態の任意の界面活性剤の本質的に総てを約０．２〜１，０００ミクロンの粒度範囲の粒子の形態で加えることができる。任意の界面活性剤粒子を添加した後、有機ビルダー、例えばクエン酸塩および／または脂肪酸、および／またはアルカリ性供給源、例えば炭酸ナトリウムの実質的に総ての粒子を、組成物成分のこの混合物を剪断攪拌下に保持し続けながら、加えることができる。次に、他の固形の任意成分をこの時点で組成物に加えることができる。混合物の攪拌を継続し、必要ならば、この時点で増加させて、液相中での不溶性固相粒子の均一な分散液を形成することができる。
この攪拌混合物に前記固形材料の幾つかまたは総てを加えた後、また混合物を剪断攪拌下に保持しながら極めて好ましい過酸素漂白剤の粒子を組成物に加えることができる。過酸素漂白剤材料を最後に加えることによって、または他成分の総てまたはほとんど、特にアルカリ性供給源を加えた後、過酸素漂白剤についての所望な安定性の利点を実現することができる。酵素小球を配合するときには、それらは非水性液体マトリックスに最後に加えるのが好ましい。
最終工程段階として、粒状材料の総てを加えた後、混合物の攪拌を十分な時間継続して、必要な粘度および相安定性を有する組成物を形成する。これは、約１〜３０分間の攪拌を伴うことが多い。
前記の組成物製造手順の変法として、１種類以上の固体成分を、１種類以上の液体成分の少量と予備混合した粒子のスラリーとして攪拌混合物に加えることができる。従って、アルコールアルコキシレートおよび／または非水性の低極性溶媒の少量を有機ビルダー材料の粒子および／または無機アルカリ性供給源および／または漂白活性剤の粒子と予備混合したものを別個に形成して、スラリーとして組成物成分の攪拌混合物に加えることができる。このようなスラリー予備混合物の添加は、同様にして形成される予備混合物の一部となることができる過酸素漂白剤および酵素粒子の添加の前に行なうべきである。
前記のようにして製造した本発明の組成物を用いて、布帛の洗濯および漂白に用いる洗浄水溶液を形成することができる。一般に、このような組成物の有効量を、好ましくは通常の布帛洗濯用の自動洗濯機中で水に加えて洗濯／漂白水溶液を形成する。このようにして形成した洗濯／漂白水溶液を、次に好ましくは攪拌下にて、これを用いて洗濯および漂白を行なう布帛と接触させる。
水に加えて洗濯／漂白水溶液を形成する本発明の液体洗剤組成物の有効量は、水溶液中で組成物約５００〜７，０００ｐｐｍを形成するのに十分な量とすることができる。更に好ましくは、本発明の洗剤組成物約８００〜３，０００ｐｐｍが、水性洗浄／漂白溶液に供給される。
実施例
下記の実施例は本発明の組成物を例示するものであるが、必ずしも本発明の範囲を制限しあるいは画定することを意味するものではない。
第１表に示す組成を有する漂白剤を含有する非水性の液体洗濯洗剤を製造する。
0004024297.tif 000005
このような組成物は、ＬＡＳ、ヘキシレングリコール、およびアルコールエトキシレートを一緒に５４℃（１３０°Ｆ）で１／２時間混合することによって製造される。次に、この混合物を２９℃（８５°Ｆ）に冷却した後、残りの成分を加える。次に、生成する組成物を２９℃（８５°Ｆ）で更に１／２時間攪拌する。
生成する組成物は、安定な無水の重質液体洗濯洗剤であり、通常の布帛洗濯操作に用いられた場合に、優れた染みおよび汚れ除去性能を提供する。